(57)【特許請求の範囲】
【請求項１】
遠隔地から無線基地局を介して端末を起動する無線システムにおいて、
前記端末の電源のステータスを監視する監視手段と、
前記端末のセキュリティ方式を前記ステータスに基づいて切替え、前記ステータスが電源オフに移行するときは固定キーセキュリティ方式に切替え、前記ステータスが電源オンに移行するときはダイナミックキーセキュリティ方式に切替えるセキュリティ切替手段と、
を具備することを特徴とする無線システム。
【請求項２】
前記無線基地局は、第１のＶＬＡＮと第２のＶＬＡＮを有し、前記ステータスが電源オフに移行するとき、固定キーセキュリティ方式が設定された前記第１のＶＬＡＮに切替え、前記ステータスが電源オンに移行するときはダイナミックキーセキュリティ方式が設定された前記第２のＶＬＡＮに切替えることを特徴とする請求項１に記載の無線システム。
【請求項３】
前記無線基地局は、ビーコンにより前記端末を起動するとき、前記遠隔地から起動する前記端末への起動指示を受信すると、起動情報許可フラグと前記端末のアドレス情報を、ビーコンフレームとともに前記端末に送信することを特徴とする請求項１に記載の無線システム。
【請求項４】
前記端末は、予め設定されている第１の無線基地局と通信ができないとき、前記端末に記録されている前記無線基地局を切替える優先順位に従い、他の無線基地局に切替えることを特徴とする請求項１に記載の無線システム。
【請求項５】
前記無線基地局は、第１の無線ＬＡＮと第２の無線ＬＡＮを有し、前記ステータスが電源オフに移行するときは固定キーセキュリティ方式が設定された第１の無線ＬＡＮに切替え、前記ステータスが電源オンに移行するときはダイナミックキーセキュリティ方式が設定された第２の無線ＬＡＮに切替えることを特徴とする請求項１に記載の無線システム。
【請求項６】
遠隔地から無線基地局を介して端末を起動する無線システムのプログラムであって、
前記端末の電源のステータスを監視する監視機能と、
前記端末のセキュリティ方式を前記ステータスに基づいて切替え、前記ステータスが電源オフに移行するときは固定キーセキュリティ方式に切替え、前記ステータスが電源オンに移行するときはダイナミックキーセキュリティ方式に切替えるセキュリティ切替機能と、
をコンピュータにより実現されるための無線システムのプログラム。
【発明の詳細な説明】
【技術分野】
【０００１】
本発明は、無線器を搭載した装置の起動を外部から行うことができるシステムのセキュリティに係わり、特に起動時およびシャットダウン時のセキュリティの切替の技術に関する。
【背景技術】
【０００２】
近年、無線を利用したシステムが構築されるようになり、利用者にとっての利便性をさらに向上させる技術が多く提案されるようになっている。例えば、ＷＯＬ（Wake up LAN）のように、遠隔地から必要に応じ、ＬＡＮを経由して利用者のＰＣを起動させる技術がある。
【０００３】
ところが、ＷＯＬのような技術は、便利ではあるが、無線通信中のデータの漏洩を防止するためのセキュリティ技術が非常に重要になってくる。ＷＯＬを利用したシステムとして、店舗などのＰＯＳシステム（point of sales system）の場合を考える。遠隔地（自宅）からインターネットなどを利用し、本部のＰＣにアクセスし、ＡＰ（Access Point：無線基地局）を介して、ある店舗のＰＯＳ端末（ＰＯＳ対応レジスタ：クライアント）を起動させ、本部から価格情報などを取得し、ＰＯＳ端末のデータベースを更新する。このような作業は、開店前に行われるのが通常であり、データベースの更新に長い時間を要する。そのため、ＷＯＬにより予めＰＯＳ端末の電源を入れる必要がある。また、データベースの更新を行っているときに、価格情報などの重要データが漏洩してしまうために、暗号化を行う必要がある。
【０００４】
特許文献１〜３によれば、無線ＬＡＮを利用したシステムの、データ漏洩に対するセキュリティを向上させるための提案がされている。ダイナミックキーや認証データを用いてセキュリティを向上させる通信方式や、暗号化するか否かの切替え方式などである。
【特許文献１】特開２００４−７２６８２号公報
【特許文献２】特開２００３−８７２８９号公報
【特許文献３】特開２００５−７３１３３号公報
【発明の開示】
【発明が解決しようとする課題】
【０００５】
しかしながら、通常の無線通信ではセキュリティを確保するために、暗号化を行う場合に、ＷＯＬを使用するときは、暗号キーを固定した方式を使用している。例えば、ＷＥＰ（Wired Equivalent Privacy）などを利用している。ところが、ＷＥＰなどの固定キーを使用した方式は、暗号化技術として、ダイナミックキーを使用する方式よりも信頼性がないのが現状である。そこで、ダイナミックキーを使用した、ＴＫＩＰ（Temporal Key Integrity Protocol）、ＡＥＳ（Advanced Encryption Standard）を利用することが考えられる。しかし、高度な暗号化方式は、動的に暗号キーが変化をするために、ＷＯＬを実現させることは簡単にできない。例えば、起動時と終了時の暗号キーが同じでなければならないため、ハードウェアの変更、専用ドライバの開発が必要になる。
【０００６】
次に、特許文献１〜３においては、ＰＯＳ端末が起動した後の、通信方式について記載されているが、ＷＯＬを利用して起動させても、セキュリティレベルを下げることなく運用状態に移行できるシステムについては記載されていない。
【０００７】
本発明は上記のような実情に鑑みてなされたものであり、無線システムに接続される端末（ＰＯＳ端末など）の、ＯＳ、無線ドライバ層とアプリケーション層にセキュリティ方式を切替える層などを設け、セキュリティレベルを高めつつＷＯＬを実現する無線システムのプログラムを提供することを目的とする。
【課題を解決するための手段】
【０００８】
本発明の態様のひとつである遠隔地から無線基地局を介して端末を起動する無線システムにおいて、上記端末の電源のステータスを監視する監視手段と、上記端末のセキュリティ方式を上記ステータスに基づいて切替え、上記ステータスが電源オフに移行するときは固定キーセキュリティ方式に切替え、上記ステータスが電源オンに移行するときはダイナミックキーセキュリティ方式に切替えるセキュリティ切替手段と、を具備する構成とする。
【０００９】
また、上記無線基地局は、ＶＬＡＮ機能により通信機能を切替え、上記ステータスがオフに移行するときは固定キーセキュリティ方式用の通信に切替え、上記ステータスが電源オンに移行するときはダイナミックキーセキュリティ方式用の通信に切替える構成としてもよい。
【００１０】
また、上記無線基地局は、ビーコンにより上記端末を起動するとき、上記遠隔地から起動する上記端末への起動指示を受信すると、起動情報許可フラグと上記端末のアドレス情報を、ビーコンフレームとともに上記端末に送信する構成としてもよい。
【００１１】
また、上記端末は、予め設定されている第1の無線基地局と通信ができないとき、上記端末に記録されている上記無線基地局の切替え優先順位に従い通信を切替える構成としてもよい。
【００１２】
好適には、上記無線基地局は、通信方式切替え機能により通信方式を切替え、上記ステータスがオフに移行するときは固定キーセキュリティ方式用の通信に切替え、上記ステータスが電源オンに移行するときはダイナミックキーセキュリティ方式用の通信に切替える構成としてもよい。
【００１３】
本発明の他の態様である遠隔地から無線基地局を介して端末を起動する無線システムのプログラムであって、上記端末の電源のステータスを監視する監視機能と、上記端末のセキュリティ方式を上記ステータスに基づいて切替え、上記ステータスが電源オフのときは固定キーセキュリティ方式に切替え、上記ステータスが電源オンのときはダイナミックキーセキュリティ方式に切替えるセキュリティ切替機能と、をコンピュータにより実現されるための無線システムのプログラムである。
【００１４】
上記構成にすることで、高度なセキュリティ方式を利用してもＷＯＬを行うことができる。
【発明の効果】
【００１５】
本発明によれば、セキュリティ方式に関係なく柔軟に対応することが可能であり、既存のハードウェア、無線ドライバ、無線基地局などに対し、切替え制御を行うことで、簡単に対応可能である。また、新しいセキュリティ方式にも柔軟に対応可能である。
【発明を実施するための最良の形態】
【００１６】
以下図面に基づいて、本発明の実施形態について詳細を説明する。
（実施例１）
図１は無線機器を利用して構築したシステムの構成図である。店舗１内の無線システムは、ストアサーバ２、ＡＰ３（無線基地局）、ＰＯＳ端末４（クライアント：端末）などにより構成されている。例えば、ＶＬＡＮを構築するためにはＶＬＡＮ対応のスイッチングハブなどを接続する。ストアサーバ２は、店舗内の複数のＰＯＳ端末４とＡＰ３などを介して接続されるサーバである。ＡＰ３は複数設けられＰＯＳ端末４とのデータの遣り取りをするための無線基地局である。また、本システムは、ＷＯＬを行うために自宅ＰＣ５から遠隔操作し、インターネット６などを経由して、本部ＰＣ７にアクセスをする。そして、本部ＰＣ７は、ＰＯＳ端末４の起動をするためのデータを、ＷＡＮ８などの回線を介して送る。そして、ＰＯＳ端末４が起動後、本部ＰＣ７から、その日の商品の価格情報などをＰＯＳ端末４に送り、ＰＯＳ端末４のメモリのデータベースの更新を行う。
【００１７】
図２は本発明のＰＯＳ端末のシステム構造を示した図である。アプリケーション２１、セキュリティ切替え２２、オペレーティングシステム２３、電源制御ドライバ２４、無線ＬＡＮドライバ２５などの層から構成されている。
【００１８】
アプリケーション２１は、レジスタなどのアプリケーションである。本例では、店舗に設置されるＰＯＳ端末４で行っている。
セキュリティ切替え２２は、ＷＯＬにより起動後に、セキュリティ方式を切替えるための制御を行う。セキュリティ切替え２２は、本例のように設けることに限定されず、アプリケーション２１内に設けてもよいし、電源制御ドライバ２４、無線ＬＡＮドライバ２５内に設けてもよい。オペレーティングシステム２３は、ＰＯＳ端末４の動作を制御するためのオペレーティングシステムである。
【００１９】
電源制御ドライバ２４、無線ＬＡＮドライバ２５は、ＰＯＳ端末４のハードウェアを制御するためのドライバである。
電源制御ドライバ２４は、図２に示す電源ＳＷ（スイッチ），ＷＯＬの部分の制御を行う。電源スイッチがオンになりＰＯＳ端末４が起動するＷＯＬ、通常の電源のオン／オフなどの制御を行う。
【００２０】
無線ＬＡＮドライバは、例えば無線ＬＡＮ８０２．１１規格などを制御するためのドライバであり、同図無線ＬＡＮデバイス２７などの無線ＬＡＮのハードウェアを制御する。また、ＷＥＰ、ＴＫＩＰ、ＡＥＳなどのセキュリティ方式を制御するドライバでもある。
【００２１】
次に同図の矢印について説明をする。（１）が示す矢印は、ＰＯＳ端末４の電源のステータスを電源ＳＷ，ＷＯＬ２６から電源制御ドライバ２４、オペレーティング２３経て、セキュリティ切替え２２に渡される。ステータスの種類は少なくともブート中、運用中、シャットダウン中などのステータス情報がある。
（２）の矢印は、ブート中のステータスが運用中に変化したときに、固定キーセキュリティ方式からダイナミックキーセキュリティ方式に切替えを行う。また、シャットダウン中になる前に、ダイナミックキーセキュリティ方式から、固定キーセキュリティ方式に切替えを行う。ここではアプリケーション２１に対して切替えたことを通知する。
そして、（３）矢印において、無線ドライバに対してセキュリティ方式（セキュリティモード）を切替えたことを通知さる。この通知により、無線ＬＡＮデバイス２７のハードウェアも通知内容に対応したセキュリティ方式に切替わる。
【００２２】
上記説明した動作を図３に示すタイムチャートで説明する。同図Ｔ１に示す期間は、ＰＯＳ端末４の電源がオフの状態である。このときのセキュリティ方式は、固定キーを利用したＷＥＰである。遠隔地からＷＯＬによりＰＯＳ端末４を起動させる命令が送られてくる。同図に示す矢印（起動）によりＰＯＳ端末４は起動中になる。ここで、送られてくる起動信号は、パケット形式でＭＡＣアドレスなどを連続して送り、予め決めた回数連続して受信することで、起動するようにしてもよい。
【００２３】
次に、Ｔ２の示す期間でブート中のステータスが立ち、Ｔ３の示す期間に固定キーからダイナミックキー方式にセキュリティ方式を変更する。この例ではＷＥＰからＴＫＩＰとしているが特に限定をするものではない。
【００２４】
Ｔ４の期間ではＴＫＩＰのようなダイナミックキーセキュリティ方式で運用される。Ｔ５の期間では電源を切る操作が行われたことを感知し、ＴＫＩＰからＷＥＰに切替わる。その後Ｔ６のシャットダウンを示す期間で、シャットダウン中のステータスにステータス情報が切替わり、ＰＯＳ端末４がオフになる。このようにすることで、通常の運用時はダイナミックキー方式のセキュリティを使用し、ＷＯＬ時はＷＥＰなどの固定キー方式を使用し、高度なセキュリティを採用したＷＯＬ環境が可能となる。
【００２５】
図４は無線システムの動作をフローで示した図である。ＡＰ３は例えばＶＬＡＮ機能（Virtual LAN）を使い、無線基地局を２種のセキュリティが混在できる環境を作る。ＶＬＡＮ対応無線基地局の設定にして、ＷＯＬ用と運用時のＶＬＡＮのＩＤを設定する。例えば、ＶＬＡＮ１をＷＯＬ専用としてＷＥＰの設定する。ＶＬＡＮ２を運用専用のＴＫＩＰの設定にする。
【００２６】
そして、ＰＯＳ端末４側に、接続するＡＰ３のＶＬＡＮを切替える機能と仕組みを追加する。
ステップＳ４１では、ＰＯＳ端末４の電源オン状態（通常運用）／ＶＬＡＮ２（ＴＫＩＰ）で業務を終了する（図３に示す矢印（終了））。
【００２７】
ステップＳ４２は、ＰＯＳ端末４から受信した切替え信号により、ＶＬＡＮ２からＶＬＡＮ１に自動で切替える。
ステップＳ４３は、ＰＯＳ端末４の電源をオフ状態にする（図３のＴ７，Ｔ１の期間）。
【００２８】
ステップＳ４４は、遠隔地（自宅など）のＰＣから起動パケットを送信する。
ステップＳ４５は、ＡＰ３はＶＬＡＮ１に起動パケットをブロードキャストで送信する。
【００２９】
ステップＳ４６は、図３の矢印（起動）で、ＰＯＳ端末４を起動する（図３のＴ２の期間）。ＶＬＡＮ１からＶＬＡＮ２に自動切替えをする（図３のＴ３の期間）。ここで起動パケットは、例えば、ＭＡＣアドレスを連続してｎ回含んだパケットを受け取り、ネットワークコントローラがＰＯＳ端末４の電源をオンにする。
【００３０】
上記構成により、既存のハードウェアにて対応可となり、簡単な制御をアドオンすることで実現可能である。また、今後の新しいセキュリティ方式にも柔軟に対応することができる。
（実施例２）
図５はビーコンフレームを利用した場合の無線システムのフローを示した図である。
【００３１】
ビーコンフレームは無線基地局からブロードキャストで一定間隔で全てのクライアントに対して送られる暗号化されていないフレームであるため、ビーコンフレームを利用して、ＷＯＬを実現する。
【００３２】
実施例１では起動パケットを暗号化したが、本実施例ではビーコンフレームに起動パケットと同様の機能を果たす情報を挿入する。
ビーコンフレームは、無線通信に必要な情報を周辺無線局（本例ではＰＯＳ端末４）へ報知するためのフレームである。本例ではビーコンフレームは、無線基地局（本例ではＡＰ３）から一定間隔で常に送信をしている。
【００３３】
ビーコンフレームを使用してＷＯＬを行う場合には、通常の運用で使用する通信とＷＯＬ専用の無線ＬＡＮを用意する必要がある。
ステップＳ５１では、ＰＯＳ端末４の電源がオン状態である。このときは、実施例１と同じようにダイナミックキーセキュリティ方式を採用している。
【００３４】
ステップＳ５２では、例えば、店舗が閉店時間になり、ＰＯＳ端末４の電源をオフにする。
ステップＳ５３では、店舗の開店前に、遠隔地（自宅など）のＰＣ５からＡＰ３に対し、ビーコンフレームにＷＯＬに必要な起動用の情報（後述する起動情報）を挿入する指示をする。
【００３５】
ステップＳ５４では、ＡＰ３がビーコンフレームに起動情報をセットし、ＰＯＳ端末４に送信をする。ここで、ビーコンフレームについて説明する。図６はビーコンフレームの構造を示した図である。ビーコンフレームは、タイムスタンプ、ビーコンインターバル、キャパビリティインフォメーション、ＳＳＩＤ（ＥＳＳＩＤ）、サポートレート、ＦＨパラメータセット、ＤＳパラメータセット、ＣＦパラメータセット、ＩＢＳＳパラメータセット、ＴＩＭなどから通常構成されている。本例ではさらに起動情報許可フラグ、アドレス情報を追加した構成とする。  次に、起動情報許可フラグ、アドレス情報の説明をする。ここではそれ以外の説明については省略する。
【００３６】
起動情報許可フラグは、ＰＣ５からＡＰ３に対してＷＯＬによりＰＯＳ端末４を起動させるか否かを設定するフラグである。このフラグは１ビット幅以上でよい。次に、アドレス情報は、例えばＭＡＣアドレスを設定することにより、ＰＯＳ端末４にＭＡＣアドレスを送信するようにする。特にＭＡＣアドレスに限定をするものではない。ＡＰ３が通信をするＰＯＳ端末４であることを識別できればよい。
【００３７】
ステップＳ５５では、ＰＯＳ端末４が、ビーコンフレームを受信し該当アドレス情報であれば起動する。ビーコンフレームは一定間隔で送信されているので、何回か同じアドレス情報を受信したことにより、起動のトリガとしてもよい。
起動後は、Ｓ５１の状態になり運用状態を続ける。
【００３８】
例えば、実施例１で説明したようなＶＬＡＮ機能を利用してもかまわない。
（実施例３）
ＷＯＬ機能を利用している場合、ＡＰ３（無線基地局）が切替わった場合に、ＰＯＳ端末４が起動できない。そこで、ＰＯＳ端末４は、電源オフ直前に接続していたＡＰ３からの起動パケットにしか応答しない。
【００３９】
ＰＯＳ端末４が、移動した場合や無線基地局の電源が切れた場合にＷＯＬで起動することができない。
図７は、無線システムの構成を示す図である。例えば、ＡＰ３が２台ある場合、について考える。無線基地局としてＡＰａ、ＡＰｂが配置され、事故によりＡＰａが通信不能になった場合、ＰＯＳ端末４はＡＰａと通信できないため、ＷＯＬによる起動も当然できない状態になる。そこで、ＰＯＳ端末４に登録してあるＡＰａ以外にＡＰｂを登録する。
【００４０】
図８は、ＰＯＳ端末４のメモリに記録されたＡＰアドレス登録テーブルを示す図である。ＡＰ登録テーブルには、少なくともＡＰ識別番号とアドレス情報が登録されている。ＡＰ識別番号は、例えばａ、ｂ・・・のようなアルファベットでもよいし、１〜ｎ（ｎ：整数）までを示す整数でもよい。このときに登録順に優先順位をつける。
【００４１】
次に、アドレス情報は、ＭＡＣアドレスのようにＡＰ３のアドレスが識別できる情報であればよい。本例ではｘｘ−ｘｘ−ｘｘ−ｘｘ−ｘｘ−ｘｘ、・・・、ｗｗ−ｗｗ−ｗｗ−ｗｗ−ｗｗ−ｗｗなどで示している。
【００４２】
上記のように構成することで、ＡＰｂからの起動信号にＷＯＬを利用して起動することができる。ここで、起動条件はＡＰａから送信がなく、ＡＰｂからは連続して送信がされている場合に起動する。
【００４３】
例えば、ＰＯＳ端末はＡＰａが故障したとき、ＡＰａのビーコンフレームが停止したことをトリガとし、登録テーブルを切替えことにより、ＡＰｂからの切替え信号に応答する。
【００４４】
このとき、ＡＰａとＡＰｂは同一チャンネルとし、チャネルが異なる場合はＡＰｂは全てのチャンネルに対して起動信号を発信させる。
また、ＰＯＳ端末はＡＰａが故障したとき、ＡＰａのビーコンフレームが停止したことをトリガとしＰＯＳ端末は自動起動し、ＡＰｂと再接続後、自動で電源オフすることにより、以降ＡＰｂで起動する。このときＷＯＬの関連付けをＡＰａからＡＰｂに自動で変更する。上記ではビーコンフレームによる例を示したが通信が停止したことが検出できればよい。タイムアウトなどを検出して基地局の切替えに利用してもよい。
（実施例５）
図３に示すタイムチャートをもちいて実施例５について説明する。実施例５はセキュリティ方式の切替えと通信方式の切替えを一緒にする場合の例である。
【００４５】
同図Ｔ１に示す期間は、ＰＯＳ端末４の電源がオフの状態である。このときのセキュリティ方式は、固定キーを利用したＷＥＰである。遠隔地からＷＯＬによりＰＯＳ端末４を起動させる命令が送られてくる。同図に示す矢印（起動）によりＰＯＳ端末４は起動中になる。ここで、送られてくる起動信号は、パケット形式でＭＡＣアドレスなどを連続して送り、予め決めた回数連続して受信することで、起動するようにしてもよい。
【００４６】
次に、Ｔ２の示す期間でブート中のステータスが立ち、Ｔ３の示す期間に固定キーからダイナミックキー方式にセキュリティ方式を変更する。この例ではＷＥＰからＴＫＩＰとしているが特に限定をするものではない。
【００４７】
Ｔ４の期間ではＴＫＩＰのようなダイナミックキーセキュリティ方式で運用される。Ｔ５の期間では電源切る操作が行われたことを感知し、ＴＫＩＰからＷＥＰに切替わる。その後Ｔ６のシャットダウンを示す期間で、シャットダウン中のステータスにステータス情報が切替わり、ＰＯＳ端末４がオフになる。このように通常の運用時はダイナミックキー方式のセキュリティを使用し、ＷＯＬ時はＷＥＰなどの固定キー方式を使用し、高度なセキュリティを採用したＷＯＬ環境が可能となる。
【００４８】
図９は無線システムの動作をフローで示した図である。ＡＰ３は例えば無線ＬＡＮの通信方式を切替える機能を使い、無線基地局を２種のセキュリティが混在できる環境を作る。また、この無線基地局は２つ以上の通信方式に対応している。ＷＯＬ用と運用時の通信方式とＩＤを設定する。例えば、第１通信方式をＷＯＬ専用としてＷＥＰの設定する。第２通信方式を運用専用のＴＫＩＰの設定にする。
【００４９】
そして、ＰＯＳ端末４側に、接続するＡＰ３の通信方式を切替える機能と仕組みを追加する。ここで通信方式は特に限定はしないが、本例では無線ＬＡＮ規格ＩＥＥＥ８０２．１１ａ、ｂ、ｇなどの規格に切替えが可能な無線基地局とＰＯＳ端末について説明をする。
【００５０】
ステップＳ９１では、ＰＯＳ端末４の電源オン状態（通常運用）／第２通信方式（無線ＬＡＮ規格  ８０２．１１ｂ）（ＴＫＩＰ）で業務を終了する（図３に示す矢印（終了））。
【００５１】
ステップＳ９２は、ＰＯＳ端末４から受信した切替え信号により、第２通信方式から第１通信方式（無線ＬＡＮ規格  ８０２．１１ａ）に自動で切替える。
ステップＳ９３は、ＰＯＳ端末４の電源をオフ状態にする（図３のＴ７，Ｔ１の期間）。
【００５２】
ステップＳ９４は、遠隔地（自宅など）のＰＣから起動パケットを送信する。
ステップＳ９５は、ＡＰ３は第１通信方式に起動パケットをブロードキャストで送信する。
【００５３】
ステップＳ９６は、図３の矢印（起動）で、ＰＯＳ端末４を起動する（図３のＴ２の期間）。第１通信方式から第２通信方式に自動切替えをする（図３のＴ３の期間）。ここで起動パケットは、例えば、ＭＡＣアドレスを連続してｎ回含んだパケットを受け取り、ネットワークコントローラがＰＯＳ端末４の電源をオンにする。
【００５４】
上記構成により、実施例１に示したＶＬＡＮで構成する場合に比べてスイッチングハブなどの機器を増設する必要がなくなり、既存のハードウェアで対応可能となり、簡単な制御をアドオンすることで実現可能である。また、今後の新しいセキュリティ方式にも柔軟に対応することができる。
【００５５】
ところで、前述した実施例１〜５に示した処理（フローチャート）を標準的なコンピュータのＣＰＵに行わせるための制御プログラムとして作成して、コンピュータに読み取り可能な記録媒体に記録させておき、そのプログラムを記録媒体からコンピュータに読み込ませてＣＰＵで実行させるようにしても、本発明の実施は可能である。
【００５６】
記録させた制御プログラムをコンピュータシステムで読み取ることの可能な記録媒体の例を図１０に示す。このような記録媒体としては、例えば、コンピュータシステム１００に内蔵若しくは外付けの付属装置として備えられるＲＯＭやハードディスク装置などの記憶装置１０１、コンピュータシステム１００に備えられる媒体駆動装置１０２へ挿入することによって記録された制御プログラムを読み出すことのできるフレキシブルディスク、ＭＯ（光磁気ディスク）、ＣＤ−ＲＯＭ、ＤＶＤ−ＲＯＭなどといった携帯可能記録媒体１０３等が利用できる。
【００５７】
また、記録媒体は通信回線１０４を介してコンピュータシステム１００と接続される、プログラムサーバ１０５として機能するコンピュータシステムが備えている記憶装置１０６であってもよい。この場合には、制御プログラムを表現するデータ信号で搬送波を変調して得られる伝送信号を、プログラムサーバ１０５から伝送媒体である通信回線１０４を通じてコンピュータシステム１００へ伝送するようにし、コンピュータシステム１００では受信した伝送信号を復調して制御プログラムを再生することでこの制御プログラムをコンピュータシステム１００のＣＰＵで実行できるようになる。
また、本発明は、上記実施の形態に限定されるものでなく、本発明の要旨を逸脱しない範囲内で種々の改良、変更が可能である。
【００５８】
（付記１）
遠隔地から無線基地局を介して端末を起動する無線システムにおいて、
前記端末の電源のステータスを監視する監視手段と、
前記端末のセキュリティ方式を前記ステータスに基づいて切替え、前記ステータスが電源オフに移行するときは固定キーセキュリティ方式に切替え、前記ステータスが電源オンに移行するときはダイナミックキーセキュリティ方式に切替えるセキュリティ切替手段と、
を具備することを特徴とする無線システム。
（付記２）
前記無線基地局は、ＶＬＡＮ機能により通信機能を切替え、前記ステータスがオフに移行するときは固定キーセキュリティ方式用の通信に切替え、前記ステータスが電源オンに移行するときはダイナミックキーセキュリティ方式用の通信に切替えることを特徴とする付記１に記載の無線システム。
（付記３）
前記無線基地局は、ビーコンにより前記端末を起動するとき、前記遠隔地から起動する前記端末への起動指示を受信すると、起動情報許可フラグと前記端末のアドレス情報を、ビーコンフレームとともに前記端末に送信することを特徴とする付記１に記載の無線システム。
（付記４）
前記端末は、予め設定されている第1の無線基地局と通信ができないとき、前記端末に記録されている前記無線基地局の切替え優先順位に従い通信を切替えることを特徴とする付記１に記載の無線システム。
（付記５）
前記無線基地局は、通信方式切替え機能により通信方式を切替え、前記ステータスがオフに移行するときは固定キーセキュリティ方式用の通信に切替え、前記ステータスが電源オンに移行するときはダイナミックキーセキュリティ方式用の通信に切替えることを特徴とする付記１に記載の無線システム。
（付記６）
前記固定キーは、ＷＥＰであることを特徴とする付記１に記載の無線システム。
（付記７）
前記ダイナミックキーは、ＴＫＩＰであることを特徴とする付記１に記載の無線システム。
（付記８）
前記ダイナミックキーは、ＡＥＳであることを特徴とする付記１に記載の無線システム。
（付記９）
前記アドレス情報は、ＭＡＣアドレスであることを特徴とする付記１に記載の無線システム。
（付記１０）
遠隔地から無線基地局を介して端末を起動する無線システムのプログラムであって、
前記端末の電源のステータスを監視する監視機能と、
前記端末のセキュリティ方式を前記ステータスに基づいて切替え、前記ステータスが電源オフに移行するときは固定キーセキュリティ方式に切替え、前記ステータスが電源オンに移行するときはダイナミックキーセキュリティ方式に切替えるセキュリティ切替機能と、
をコンピュータにより実現されるための無線システムのプログラム。
（付記１１）
前記無線基地局は、ＶＬＡＮ機能により通信機能を切替え、前記ステータスがオフに移行するときは固定キーセキュリティ方式用の通信に切替え、前記ステータスが電源オンに移行するときはダイナミックキーセキュリティ方式用の通信に切替えることを特徴とする付記１０に記載の無線システムのプログラム。
（付記１２）
前記無線基地局は、ビーコンにより前記端末を起動するとき、前記遠隔地から起動する前記端末への起動指示を受信すると、起動情報許可フラグと前記端末のアドレス情報を、ビーコンフレームとともに前記端末に送信することを特徴とする付記１０に記載の無線システムのプログラム。
（付記１３）
前記端末は、予め設定されている第1の無線基地局と通信ができないとき、前記端末に記録されている前記無線基地局の切替え優先順位に従い通信を切替えることを特徴とする付記１０に記載の無線システムのプログラム。
（付記１４）
前記無線基地局は、通信方式切替え機能により通信方式を切替え、前記ステータスがオフに移行するときは固定キーセキュリティ方式用の通信に切替え、前記ステータスが電源オンに移行するときはダイナミックキーセキュリティ方式用の通信に切替えることを特徴とする付記１０に記載の無線システムのプログラム。
（付記１５）
遠隔地から無線基地局を介して端末を起動する無線システムのプログラムをコンピュータに、
前記端末の電源のステータスを監視する監視機能と、
前記端末のセキュリティ方式を前記ステータスに基づいて切替え、前記ステータスが電源オフに移行するときは固定キーセキュリティ方式に切替え、前記ステータスが電源オンに移行するときはダイナミックキーセキュリティ方式に切替えるセキュリティ切替機能と、
を実行させるためのプログラムを記録したコンピュータで読み取り可能な記録媒体。
【図面の簡単な説明】
【００５９】
【図１】本発明のシステム構成を示す図である。
【図２】ＰＯＳ端末のシステム構造を示す図である。
【図３】セキュリティ方式の切替えを示すタイムチャートである。
【図４】ＶＬＡＮ機能によるシステムの動作を示すフローチャートである。
【図５】ビーコンを使用したときのシステムの動作を示すフローチャートである。
【図６】実施例２に示すビーコンのフレーム構成を示す図である。
【図７】実施例３の構成を示す図である。
【図８】ＡＰのアドレス登録テーブルを示す図である。
【図９】通信方式切替えによるシステムの動作を示すフローチャートである。
【図１０】無線システムのプログラムの記録について示す図である。
【符号の説明】
【００６０】
１      店舗
２      ストアサーバ
３      ＡＰ（アクセスポイント：無線基地局）
４      ＰＯＳ端末（クライアント）
５      自宅ＰＣ
６      インターネット
７      本部ＰＣ
８      ＷＡＮ
２１      アプリケーション
２２      セキュリティ切替え
２３      オペレーティングシステム
２４      電源制御ドライバ
２５      電源ＳＷ，ＷＯＬ
２６      無線ＬＡＮドライバ
２７      無線ＬＡＮデバイス
１００      コンピュータシステム
１０１      記憶装置
１０２      媒体駆動装置
１０３    携帯可能記録媒体
１０４    通信回線
１０５    プログラムサーバ
１０６    記憶装置
【図１】
0004629573.tif 000002
【図２】
0004629573.tif 000003
【図３】
0004629573.tif 000004
【図４】
0004629573.tif 000005
【図５】
0004629573.tif 000006
【図６】
0004629573.tif 000007
【図７】
0004629573.tif 000008
【図８】
0004629573.tif 000009
【図９】
0004629573.tif 000010
【図１０】
0004629573.tif 000011